【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
表示装置に、コンテンツを表す第１の表示オブジェクトと、前記第１の表示オブジェクトを格納するための領域と、前記第１の表示オブジェクトの前記領域への移動あるいは前記領域からの移動の条件を設定するための第２の表示オブジェクトとを表示するよう制御する表示制御手段と、
前記第１の表示オブジェクトと前記第２の表示オブジェクトを前記表示装置上で移動させる指示を受け付ける指示受け付け手段と、
前記指示受け付け手段で受け付けた指示により前記第１の表示オブジェクトを前記領域に移動させた場合に、前記第１の表示オブジェクトを前記領域に格納するよう制御し、
前記指示受け付け手段で受け付けた指示により前記第２の表示オブジェクトを前記領域に移動させた場合に前記第１の表示オブジェクトの当該領域への移動あるいは当該領域からの移動の条件を設定するよう制御する制御手段と
を有することを特徴とするコンテンツ管理装置。
【請求項２】
前記表示制御手段は、前記領域に格納された前記第１の表示オブジェクトに対応するコンテンツに対する処理を指定するための第３の表示オブジェクトと、前記第３の表示オブジェクトの前記領域への移動あるいは前記領域からの移動の条件を設定するための第４の表示オブジェクトとをさらに表示するよう制御し、
前記指示受け付け手段は更に、前記第３の表示オブジェクトと前記第４の表示オブジェクトを前記表示装置上で移動させる指示を受け付け、
前記制御手段は更に、前記指示受け付け手段で受け付けた指示により前記第３の表示オブジェクトを前記領域に移動させた場合に、当該領域に格納されている前記第１の表示オブジェクトに対応するコンテンツに対する前記処理を実行し、
前記指示受け付け手段で受け付けた指示により前記第４の表示オブジェクトを前記領域に移動させた場合に前記第３の表示オブジェクトの当該領域への移動あるいは当該領域からの移動の条件を設定するよう制御することを特徴とする請求項１に記載の画像管理装置。
【請求項３】
同一の前記領域に格納された複数の前記第１の表示オブジェクトに対応するコンテンツを同一の集合として管理するための領域管理手段を有することを特徴とする請求項１または２のコンテンツ管理装置。
【請求項４】
前記領域は、格納された前記第１の表示オブジェクトを表示することができる領域であることを特徴とする請求項１から３のいずれか１項のコンテンツ管理装置。
【請求項５】
前記表示制御手段は、前記指示受け付け手段で受け付けた指示により前記第２の表示オブジェクトが前記領域に移動されると、前記第１の表示オブジェクトの当該領域への移動あるいは当該領域からの移動の条件が設定されたことが識別できるように当該領域の表示形態を変更することを特徴とする請求項１から４のいずれか１項のコンテンツ管理装置。
【請求項６】
前記制御手段は、前記指示受け付け手段で受け付けた指示により前記第２の表示オブジェクトを前記領域に移動させた場合に前記第１の表示オブジェクトについて当該領域への移動の禁止あるいは当該領域からの移動の禁止を設定するよう制御することを特徴とする請求項１から５のいずれか１項のコンテンツ管理装置。
【請求項７】
前記表示制御手段は、前記制御手段によって前記第１の表示オブジェクトについて領域への移動の禁止あるいは領域からの移動の禁止を設定された前記領域の表示形態を、該禁止の設定がされたことが識別でき、かつ当該領域に格納された前記第１の表示オブジェクトの内容を確認できるように当該領域の表示形態を変更することを特徴とする請求項６のコンテンツ管理装置。
【請求項８】
前記第３の表示オブジェクトは、前記領域に格納された前記第１の表示オブジェクトに対応するコンテンツに対して特定の属性を付加することを指示するための表示オブジェクトであり、
前記制御手段は、前記指示受け付け手段で受け付けた指示により前記第３の表示オブジェクトを前記領域に移動させた場合に、前記領域に格納された複数の前記第１の表示オブジェクトに対応するコンテンツに対して一括して特定の属性を付加するよう制御することを特徴とする請求項２から７のいずれか１項のコンテンツ管理装置。
【請求項９】
前記制御手段は、前記指示受け付け手段で受け付けた指示により前記第２の表示オブジェクトを前記領域に移動させた場合に、特定の属性情報をもつ前記第１の表示オブジェクトについて当該領域への移動の禁止あるいは当該領域からの移動の禁止を設定するよう制御することを特徴とする請求項１から８のいずれか１項のコンテンツ管理装置。
【請求項１０】
前記移動させる指示は、ポインティングデバイスを用いたドラッグアンドドロップ、タッチパネルを用いたドラッグアンドドロップのいずれかによって行われることを特徴とする請求項１から９のいずれか１項のコンテンツ管理装置。
【請求項１１】
表示装置に、コンテンツを表す第１の表示オブジェクトと、前記第１の表示オブジェクトを格納するための領域と、前記第１の表示オブジェクトの前記領域への移動あるいは前記領域からの移動の条件を設定するための第２の表示オブジェクトとを表示するよう制御する表示制御ステップと、
前記第１の表示オブジェクトと前記第２の表示オブジェクトを前記表示装置上で移動させる指示を受け付ける指示受け付けステップと、
前記指示受け付けステップで受け付けた指示により前記第１の表示オブジェクトを前記領域に移動させた場合に、前記第１の表示オブジェクトを前記領域に格納するよう制御し、
前記指示受け付けステップで受け付けた指示により前記第２の表示オブジェクトを前記領域に移動させた場合に前記第１の表示オブジェクトの当該領域への移動あるいは当該領域からの移動の条件を設定するよう制御する制御ステップと
を有することを特徴とするコンテンツ管理装置の制御方法。
【請求項１２】
コンピュータを、請求項１乃至１０のいずれか１項に記載されたコンテンツ管理装置の各手段として機能させるためのプログラムを記録したコンピュータが読み取り可能な記録媒体。
【請求項１３】
コンピュータを、請求項１乃至１０のいずれか１項に記載されたコンテンツ管理装置の各手段として機能させるためのプログラム。
【請求項１４】
表示装置に、コンテンツを表す第１の表示オブジェクトと、前記第１の表示オブジェクトを格納するための領域と、前記領域に格納された前記第１の表示オブジェクトに対応するコンテンツに対する処理を指定するための第３の表示オブジェクトと、前記第３の表示オブジェクトの前記領域への移動あるいは前記領域からの移動の条件を設定するための第４の表示オブジェクトとを表示するよう制御する表示制御手段と、
前記第１の表示オブジェクトと前記第３の表示オブジェクトと前記第４の表示オブジェクトを前記表示装置上で移動させる指示を受け付ける指示受け付け手段と、
前記指示受け付け手段で受け付けた指示により前記第１の表示オブジェクトを前記領域に移動させた場合に、前記第１の表示オブジェクトを前記領域に格納するよう制御し、
前記指示受け付け手段で受け付けた指示により前記第３の表示オブジェクトを前記領域に移動させた場合に、当該領域に格納されている前記第１の表示オブジェクトに対応するコンテンツに対する前記処理を実行し、
前記指示受け付け手段で受け付けた指示により前記第４の表示オブジェクトを前記領域に移動させた場合に前記第３の表示オブジェクトの当該領域への移動あるいは当該領域からの移動の条件を設定するよう制御する制御手段と
を有することを特徴とするコンテンツ管理装置。
【請求項１５】
表示装置に、コンテンツを表す第１の表示オブジェクトと、前記第１の表示オブジェクトを格納するための領域と、前記領域に格納された前記第１の表示オブジェクトに対応するコンテンツに対する処理を指定するための第３の表示オブジェクトと、前記第３の表示オブジェクトの前記領域への移動あるいは前記領域からの移動の条件を設定するための第４の表示オブジェクトとを表示するよう制御する表示制御ステップと、
前記第１の表示オブジェクトと前記第３の表示オブジェクトと前記第４の表示オブジェクトを前記表示装置上で移動させる指示を受け付ける指示受け付けステップと、
前記指示受け付けステップで受け付けた指示により前記第１の表示オブジェクトを前記領域に移動させた場合に、前記第１の表示オブジェクトを前記領域に格納するよう制御し、
前記指示受け付けステップで受け付けた指示により前記第３の表示オブジェクトを前記領域に移動させた場合に、当該領域に格納されている前記第１の表示オブジェクトに対応するコンテンツに対する前記処理を実行し、
前記指示受け付けステップで受け付けた指示により前記第４の表示オブジェクトを前記領域に移動させた場合に前記第３の表示オブジェクトの当該領域への移動あるいは当該領域からの移動の条件を設定するよう制御する制御ステップと
を有することを特徴とするコンテンツ管理装置の制御方法。
【請求項１６】
コンピュータを、請求項１４に記載されたコンテンツ管理装置の各手段として機能させるためのプログラムを記録したコンピュータが読み取り可能な記録媒体。
【請求項１７】
コンピュータを、請求項１４に記載されたコンテンツ管理装置の各手段として機能させるためのプログラム。
【手続補正２】
【補正対象書類名】明細書
【補正対象項目名】発明の名称
【補正方法】変更
【補正の内容】
【発明の名称】コンテンツ管理装置、コンテンツ管理装置の制御方法、プログラム及び記録媒体
【手続補正３】
【補正対象書類名】明細書
【補正対象項目名】０００１
【補正方法】変更
【補正の内容】
【０００１】
本発明は、コンテンツを表示、管理するコンテンツ管理装置、コンテンツ管理装置の制御方法、その方法をコンピュータに実行させるプログラム、及びそのプログラムを記録する記録媒体に関する。
【手続補正４】
【補正対象書類名】明細書
【補正対象項目名】０００７
【補正方法】変更
【補正の内容】
【０００７】
上記の課題を解決するために本発明は、
表示装置に、コンテンツを表す第１の表示オブジェクトと、前記第１の表示オブジェクトを格納するための領域と、前記第１の表示オブジェクトの前記領域への移動あるいは前記領域からの移動の条件を設定するための第２の表示オブジェクトとを表示するよう制御する表示制御手段と、
前記第１の表示オブジェクトと前記第２の表示オブジェクトを前記表示装置上で移動させる指示を受け付ける指示受け付け手段と、
前記指示受け付け手段で受け付けた指示により前記第１の表示オブジェクトを前記領域に移動させた場合に、前記第１の表示オブジェクトを前記領域に格納するよう制御し、
前記指示受け付け手段で受け付けた指示により前記第２の表示オブジェクトを前記領域に移動させた場合に前記第１の表示オブジェクトの当該領域への移動あるいは当該領域からの移動の条件を設定するよう制御する制御手段と
を有することを特徴とする。